(57)【要約】【課題】  強風時にも洗濯物を安定した状態で干すことができ、且つ、コンパクトで使い勝手の良い物干し具を提供すること。【解決手段】  物干し具１は、洗濯物を保持する洗濯バサミやハンガー等の洗濯物保持部材を所定位置に吊り下げる枠体２と、枠体２に連結され、当該枠体２を吊り下げる吊り部材３と、を備える。枠体２は、矩形の薄板からなる複数の構成片４，４Ａを互いに交差させて係合することによって構成される。構成片４，４Ａは、他の構成片４，４Ａと係合する複数のスリット５と、洗濯物保持部材を取り付ける複数の取付穴６とを備える。枠体２、吊り部材３及び洗濯物保持部材は、金属製である。【選択図】  図１
2017023304.tif 000002
【特許請求の範囲】
【請求項１】
洗濯物を保持する洗濯バサミやハンガー等の洗濯物保持部材を所定位置に吊り下げる枠体と、
前記枠体に連結され、当該枠体を吊り下げる吊り部材と、
を備えた物干し具であって、
前記枠体は、矩形の薄板からなる複数の構成片を互いに交差させて係合することによって構成され、
前記構成片は、他の前記構成片と係合する複数のスリットと、前記洗濯物保持部材を取り付ける複数の取付穴とを備えることを特徴とする物干し具。
【請求項２】
前記枠体は、平面視における外形が略正方形に形成され、
複数の前記構成片は、略同一寸法に形成されると共に、平面視で格子状に配置され、
前記スリットは、前記構成片の長辺に沿って略等間隔に複数開口され、当該スリットの開口深さを当該構成片の短辺の長さの略半分としたことを特徴とする請求項１に記載の物干し具。
【請求項３】
前記枠体は、平面視における外形が略円形に形成され、
複数の前記構成片は、略同一寸法に形成されると共に、平面視で格子状に配置され、
前記スリットは、前記構成片の長辺に沿って略等間隔に複数開口され、当該スリットの開口深さを当該構成片の短辺の長さの略半分としたことを特徴とする請求項１に記載の物干し具。
【請求項４】
前記吊り部材は、所定の場所に掛けるフック部と、一端を当該フック部に連結され他端を前記構成片の前記取付穴に連結されるワイヤー部又は鎖部と、を備えることを特徴とする請求項１から請求項３のいずれか一つに記載の物干し具。
【請求項５】
前記枠体、前記吊り部材及び前記洗濯物保持部材は、金属製であることを特徴とする請求項４に記載の物干し具。
【発明の詳細な説明】
【技術分野】
【０００１】
本発明は、強風時であっても、干した洗濯物が横ずれして片寄ったり、飛ばされたりすることを効果的に抑制できる物干し具に関するものである。
【背景技術】
【０００２】
従来より、ブラウスやＴシャツなどの洗濯物をハンガーを用いて物干し竿に掛けて干した場合、強風に煽られて、洗濯物の位置が片寄ったり、飛ばされたりすることが多かった。そのため、これらを防止する従来の物干し具として、物干し竿の竿本体を薄板状に構成し、ハンガー等を掛けるための穴を設けたものが提供されている（例えば、特許文献１参照）。この従来の物干し具は、補助具を用いて物干し台に設置できるように構成されている。
【先行技術文献】
【特許文献】
【０００３】
【特許文献１】特開２００４−１５４３８０号公報
【発明の概要】
【発明が解決しようとする課題】
【０００４】
しかし、上記特許文献１に係る従来の物干し具は、長尺状の竿本体を薄板状に構成し、この竿本体にハンガー等を掛けるための穴を設けて構成されていた。また、補助具を用いて物干し台に設置する必要があった。そのため、物干し具全体が大型化すると共に、上記補助具がないと物干し台に設置できず、取り扱いが不便であった。
したがって、強風時にも洗濯物を安定した状態で干すことができ、且つ、コンパクトで使い勝手の良い物干し具の提供が望まれていた。
【０００５】
本発明は、強風時にも洗濯物を安定した状態で干すことができ、且つ、コンパクトで使い勝手の良い物干し具を提供することを目的とする。
【課題を解決するための手段】
【０００６】
本発明の物干し具は、洗濯物を保持する洗濯バサミやハンガー等の洗濯物保持部材を所定位置に吊り下げる枠体と、前記枠体に連結され、当該枠体を吊り下げる吊り部材と、を備えた物干し具であって、前記枠体は、矩形の薄板からなる複数の構成片を互いに交差させて係合することによって構成され、前記構成片は、他の前記構成片と係合する複数のスリットと、前記洗濯物保持部材を取り付ける複数の取付穴とを備えることを特徴とする。
【０００７】
また、本発明の物干し具は、前記発明において、前記枠体は、平面視における外形が略正方形に形成され、複数の前記構成片は、略同一寸法に形成されると共に、平面視で格子状に配置され、前記スリットは、前記構成片の長辺に沿って略等間隔に複数開口され、当該スリットの開口深さを当該構成片の短辺の長さの略半分としたことを特徴とする。
【０００８】
また、本発明の物干し具は、前記発明において、前記枠体は、平面視における外形が略円形に形成され、複数の前記構成片は、略同一寸法に形成されると共に、平面視で格子状に配置され、前記スリットは、前記構成片の長辺に沿って略等間隔に複数開口され、当該スリットの開口深さを当該構成片の短辺の長さの略半分としたことを特徴とする。
【０００９】
また、本発明の物干し具は、前記発明において、前記吊り部材は、所定の場所に掛けるフック部と、一端を当該フック部に連結され他端を前記構成片の前記取付穴に連結されるワイヤー部又は鎖部と、を備えることを特徴とする。
【００１０】
また、本発明の物干し具は、前記発明において、前記枠体、前記吊り部材及び前記洗濯物保持部材は、金属製であることを特徴とする。
【発明の効果】
【００１１】
本発明によれば、強風時にも洗濯物を安定した状態で干すことができ、且つ、コンパクトで使い勝手の良い物干し具を提供することができる。
【図面の簡単な説明】
【００１２】
【図１】本発明の実施の形態１に係る物干し具１を示す斜視図である。
【図２】物干し具１を示す平面図である。
【図３】物干し具１を示す正面図である。
【図４】物干し具１を示す底面図である。
【図５】構成片４，４Ａを示す正面図である。
【図６】本発明の実施の形態２に係る物干し具１Ａを示す平面図である。
【図７】物干し具１Ａを示す正面図である。
【図８】物干し具１Ｂの概略構成を示す平面図である。
【図９】物干し具１Ｃの概略構成を示す平面図である。
【発明を実施するための形態】
【００１３】
（実施の形態１）
以下、本発明の実施の形態１に係る物干し具１について図１〜図５を参照しながら詳細に説明する。図１は、本発明の実施の形態１に係る物干し具１を示す斜視図である。図２は、物干し具１を示す平面図である。図３は、物干し具１を示す正面図である。図４は、物干し具１を示す底面図である。図５は、構成片４，４Ａを示す正面図である。
【００１４】
図１〜図５に示すように、本発明の実施の形態１に係る物干し具１は、洗濯物を保持する洗濯バサミやハンガー等の洗濯物保持部材（図示せず）を所定位置に吊り下げる枠体２と、この枠体２に連結され、当該枠体２を吊り下げる吊り部材３と、を備える。
枠体２は、矩形の薄板からなる８枚の構成片４，４Ａを互いに交差させて係合することによって構成される。
【００１５】
枠体２は、図２に示すように、平面視における外形が略正方形に形成されている。枠体２を構成する８枚の構成片４，４Ａは、同一寸法に形成されると共に、平面視で格子状に直交するように配置される。
【００１６】
図５に示すように、構成片４，４Ａは、他の構成片４，４Ａと係合する４つのスリット５と、上記洗濯物保持部材（図示せず）を取り付ける１２個の取付穴６とを備える。構成片４，４Ａの４つのスリット５は、略等間隔に配置されている。構成片４において、その両端部に位置するスリット５，５と、内方に位置するスリット５，５とは、それぞれ開口方向が反対となっている。構成片４におけるスリット５の開口方向は、すべて同一である。
【００１７】
このスリット５の開口方向は、吊り部材３（図１参照）と連結される構成片４Ａの配置位置によって定めることができる。例えば、図１に示すように、吊り部材３を所定の構成片４Ａの取付穴６に連結する場合には、この構成片４Ａにおけるスリット５の開口方向が図５（ｂ）に示すように同一方向とすればよい。
【００１８】
また、スリット５の開口深さは、構成片４，４Ａの短辺の長さの略半分としてある。スリット５の開口幅は、他の構成片４，４Ａが係合できるように、構成片４，４Ａの板厚よりも若干大きく設定されている。
【００１９】
枠体２を構成する構成片４，４Ａ、吊り部材３及び洗濯物保持部材（図示せず）は、アルミニウム合金やステンレス合金等の金属製である。矩形の構成片４，４Ａは、例えば、アルミニウム合金製の薄板からなり、その短辺長さが３０ｍｍ、長辺長さが５００ｍｍ、板厚が２〜３ｍｍ程度のものを用いることが好ましい。構成片４，４Ａの両端には、構成片４，４Ａ同士のクロス代が１０ｍｍ程度となるように、スリット５が設けられている。
【００２０】
吊り部材３（図１参照）を構成するフック部７、ワイヤー部８は、その形状や長さを任意に設定することができ、図示例のものに限定されない。例えば、ワイヤー部８の代わりに、図示しない鎖部を設けてもよい。これら吊り部材３は、周知・慣用技術を用いることができる。
【００２１】
次に、物干し具１の使用方法について、図１を参照しながら説明する。
先ず、吊り部材３のフック部７を物干し竿等の所定の場所に引っ掛ける。このフック部７は、物干し具１全体が強風に煽られても容易に位置ずれしない箇所に引っ掛けることが好ましい。そして、洗濯バサミやハンガー等の洗濯物保持部材（図示せず）によって洗濯物を保持させる。洗濯バサミ（図示せず）は、構成片４，４Ａの所定の取付穴６に、予め製造時に取り付けておくこともできるが、ユーザーが任意の取付穴６に自由に取り付けることができるようにしてもよい。ユーザーは、任意の取付穴６にハンガーを自由に取り付けることができる。
このように、枠体２（構成片４，４Ａ）の任意の取付穴６に、洗濯物が掛けられたハンガーを取り付けることができるので、強風に煽られてもハンガーが位置ずれしたり、洗濯物ごと飛ばされることを効果的に抑制することができる。
【００２２】
以上に説明した実施の形態１に係る物干し具１によれば、以下に示す各効果が奏される。実施の形態１に係る物干し具１は、洗濯物を保持する洗濯バサミやハンガー等の洗濯物保持部材（図示せず）を所定位置に吊り下げる枠体２と、この枠体２に連結され、当該枠体２を吊り下げる吊り部材３とを備え、枠体２は、矩形の薄板からなる８枚の構成片４，４Ａを互いに格子状に交差させて係合することによって構成される。そして、格子状に組まれた枠体２（構成片４，４Ａ）に多数の取付穴６が設けられている。
そのため、小さなスペースに多くの洗濯物を干すことができると共に、強風に煽られてもハンガーが位置ずれしたり、洗濯物ごと飛ばされることを効果的に抑制することができる。したがって、強風時にも洗濯物を安定した状態で干すことができ、且つ、コンパクトで使い勝手の良い物干し具１を提供することができる。
【００２３】
また、枠体２を構成する構成片４，４Ａ、吊り部材３及び洗濯物保持部材（図示せず）は、アルミニウム合金やステンレス合金等の金属製である。そのため、軽量で丈夫であると共に、耐水性、耐熱性、耐光性及び耐薬品性（例えば、アルコール、シンナー等の有機溶剤）に優れ、劣化しにくい。
したがって、物干し具１ごと、煮沸消毒や紫外線消毒、薬品消毒を行うことができる。また、この物干し具１を一般家庭のみならず、スポーツ施設や宿泊施設の乾燥室においても使用することができると共に、病院や工場等の殺菌消毒室においても使用することができる。更に、この物干し具１は、洗濯物に対してだけでなく、燻製等の製造においても使用することができる。
【００２４】
また、ユーザーは、構成片４，４Ａのスリット５同士を係合するだけで、容易に枠体２を組み立てることができる。そのため、溶接やネジ締結等による組み立てが不要となり、コストダウンも図ることができる。
【００２５】
また、枠体２は、平面視における外形が略正方形に形成され、枠体２を構成する８枚の構成片４，４Ａは、同一寸法に形成され、スリット５の開口方向が異なるのみである。そのため、部品点数（種類）の削減とコストダウンを図ることができる。
【００２６】
また、物干し具１の枠体２は、８枚の薄板状の構成片４，４Ａから構成されている。そのため、物干し具１の出荷時や店頭での陳列時においては、箱若しくは袋詰めによって提供することができる。
【００２７】
また、構成片４，４Ａにおけるスリット５の開口深さは、構成片４，４Ａの短辺の長さの略半分としてある。そのため、構成片４，４Ａのスリット５同士を係合させることで、係合後の枠体２の高さを係合前と略同一とすることができ、組み立て後の外形寸法（短辺方向の寸法）をコンパクトにすることができる。
【００２８】
また、上述したように、物干し具１は、小さなスペースに多くの洗濯物を干すことができると共に、強風に煽られ、干された洗濯物の姿勢が大きく崩れるような場合であっても、安定した状態で干すことができる。すなわち、この物干し具１は、多くの洗濯物を吊り下げたまま、物干し具１ごと少々乱暴に移動しても、洗濯物が脱落するようなことがない。したがって、天候の急変や日没等で洗濯物の乾燥が不十分な場合であっても、洗濯物を一々取り外すことなく、洗濯物を吊り下げたまま、別な乾燥場所(例えば、室内、浴室等)へ物干し具１ごと一気に移動することができる。そのため、この物干し具１は、きわめて使い勝手が良い。
【００２９】
次に、本発明の他の実施形態について説明する。他の実施形態については、主として、実施の形態１とは異なる点を中心に説明し、実施の形態１と同様の構成については、同じ符号を付し、詳細な説明を省略する。他の実施の形態において特に説明しない点は、実施の形態１についての説明が適宜適用又は援用される。
【００３０】
（実施の形態２）
次に、本発明の実施の形態２に係る物干し具１Ａについて図６及び図７を参照しながら説明する。図６は、本発明の実施の形態２に係る物干し具１Ａを示す平面図である。図７は、物干し具１Ａを示す正面図である。
前記実施の形態１においては、枠体２は、平面視における外形が略正方形に形成されるものとして説明した。これに対して、本実施の形態２においては、図６に示すように、枠体２は、平面視における外形が略円形に形成されている。円の直径は、概ね５００ｍｍ程である。
【００３１】
また、図６及び図７に想像線で示すように、物干し具１Ａにおいては、吊り部材３のワイヤー部８を構成片４Ａの両端部に連結している。構成片４，４Ａは、図６に示すように、格子状に係合され、配置される。なお、枠体２に設けるスリット（図示せず）の深さは、構成片４，４Ａのスリット５の深さと同一である。
【００３２】
物干し具１Ａのその他の構成及び使用方法は、前記実施の形態１の物干し具１の場合と同様であるので、重複説明を省略する。
【００３３】
以上のように、実施の形態２の物干し具１Ａの枠体２は、平面視における外形が略円形に形成される。また、４枚の構成片４，４Ａは、同一寸法に形成されると共に、平面視で格子状に配置される。スリット５は、構成片４，４Ａの長辺に沿って略等間隔に４つ開口され、スリット５の開口深さを構成片４，４Ａの短辺の長さの略半分とした。
そのため、実施の形態２の物干し具１Ａによれば、前記実施の形態１の物干し具１と同様の効果が奏されると共に、デザインバリエーションを増やすことができる。
【００３４】
以上、本発明の一実施形態について説明したが、本発明は、前述した実施の形態に制限されるものではなく、適宜変更が可能である。例えば、前記実施の形態２に係る物干し具１Ａにおいては、枠体２の外形が略円形に形成されるものとして説明したが、これに制限されず、例えば、図８に示すように、略正方形の一体形状に構成してもよい。この場合も、前記実施の形態２の物干し具１Ａと同様の効果を奏することができる。ここで、図８は、物干し具１Ｂの概略構成を示す平面図である。
【００３５】
また、前記実施の形態１に係る物干し具１においては、枠体２を、８枚の構成片４，４Ａを互いに交差させて係合することにより、平面視で略正方形状に構成するものとして説明したが、これに限定されず、例えば、図９に示すように、枠体２を、１２枚の構成片４，４Ａを互いに交差させて係合することにより、平面視で矩形に且つ大型に構成してもよい。
この場合も、前記実施の形態１の物干し具１と同様の効果を奏することができるほか、サイズバリエーションを増やすことができる。また、枠体２の大きさに応じて吊り部材３のワイヤー部８（図示せず）の数を増やしてもよい。ここで、図９は、物干し具１Ｃの概略構成を示す平面図である。
【００３６】
また、前記実施の形態２に係る物干し具１Ａにおいては、吊り部材３のワイヤー部８を構成片４Ａの両端部に連結するものとして説明したが、これに限定されず、上記円形の枠体２に連結してもよい。
【符号の説明】
【００３７】
１，１Ａ，１Ｂ，１Ｃ  物干し具
２  枠体
３  吊り部材
４，４Ａ  構成片
５  スリット
６  取付穴
７  フック部
８  ワイヤー部
【図１】
2017023304.tif 000003
【図２】
2017023304.tif 000004
【図３】
2017023304.tif 000005
【図４】
2017023304.tif 000006
【図５】
2017023304.tif 000007
【図６】
2017023304.tif 000008
【図７】
2017023304.tif 000009
【図８】
2017023304.tif 000010
【図９】
2017023304.tif 000011